(57)【特許請求の範囲】
【請求項１】
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
正のパワーを有する第４レンズ群と、
負のパワーを有する第５レンズ群とからなり、
前記第１レンズ群は、２枚以下のレンズ素子で構成されており、
前記第３レンズ群は、４枚以上のレンズ素子で構成されており、
撮像時の広角端から望遠端へのズーミングの際に、前記第１レンズ群及び前記第２レンズ群が光軸に沿って移動し、
以下の条件（１）、（２）及び（３）を満足する、ズームレンズ系：
０．０＜ＬGmax／ＬG2＜１．５  ・・・（１）
０．２＜｜ｆ2／ｆW｜  ・・・（２）
０．１＜｜ｆe／ｆ2｜≦１１．２６  ・・・（３）
ここで、
ＬGmax：第５レンズ群の光軸上での厚み、
ＬG2：第２レンズ群の光軸上での厚み、
ｆW：広角端における全系の焦点距離、
ｆ2：第２レンズ群の焦点距離、
ｆe：全系の最像側に位置し、負のパワーを有するレンズ群の焦点距離
である。
【請求項２】
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群と、
負のパワーを有する第６レンズ群とからなり、
前記第１レンズ群は、２枚以下のレンズ素子で構成されており、
前記第３レンズ群は、４枚以上のレンズ素子で構成されており、
撮像時の広角端から望遠端へのズーミングの際に、前記第１レンズ群及び前記第２レンズ群が光軸に沿って移動し、
以下の条件（１）、（２）及び（３）を満足する、ズームレンズ系：
０．０＜ＬGmax／ＬG2＜１．５  ・・・（１）
０．２＜｜ｆ2／ｆW｜  ・・・（２）
０．１＜｜ｆe／ｆ2｜≦１１．２６  ・・・（３）
ここで、
ＬGmax：第４レンズ群より像側にあるレンズ群の光軸上での厚みの最大値、
ＬG2：第２レンズ群の光軸上での厚み、
ｆW：広角端における全系の焦点距離、
ｆ2：第２レンズ群の焦点距離、
ｆe：全系の最像側に位置し、負のパワーを有するレンズ群の焦点距離
である。
【請求項３】
撮像時の広角端から望遠端へのズーミングの際に、第１レンズ群は像側に凸の軌跡を描いて移動する、請求項１または２に記載のズームレンズ系。
【請求項４】
第２レンズ群は、少なくとも１枚の正のパワーを有するレンズ素子を有し、以下の条件（４）及び（５）を満足する、請求項１または２に記載のズームレンズ系：
ｎ2p＞１．８  ・・・（４）
ｖ2p＜２４  ・・・（５）
ここで、
ｎ2p：第２レンズ群を構成する正のパワーを有するレンズ素子の、ｄ線に対する屈折率の平均値、
ｖ2p：第２レンズ群を構成する正のパワーを有するレンズ素子の、ｄ線に対するアッベ数の平均値
である。
【請求項５】
以下の条件（６）を満足する、請求項１または２に記載のズームレンズ系：
０．５＜ＬG3／（ｆT×ｔａｎ（ωT））＜１０  ・・・（６）
ここで、
ＬG3：第３レンズ群の光軸上での厚み、
ｆT：望遠端における全系の焦点距離、
ωT：望遠端における半画角（°）
である。
【請求項６】
全系の最像側に位置するレンズ群は、３枚以下のレンズ素子で構成される、請求項１または２に記載のズームレンズ系。
【請求項７】
全系の像側から２番目に位置するレンズ群は、３枚以下のレンズ素子で構成される、請求項１または２に記載のズームレンズ系。
【請求項８】
撮像時の広角端から望遠端へのズーミングの際に、前記第４レンズ群より像側にあるレンズ群の少なくとも１つは像面に対して固定されている、請求項１または２に記載のズームレンズ系。
【請求項９】
以下の条件（７）を満足する、請求項８に記載のズームレンズ系：
０．０５＜ΔＦ／（ｆT×ｔａｎ（ωT））  ・・・（７）
ここで、
ΔＦ：像面に対して固定されているレンズ群と、該固定されているレンズ群と隣り合うレンズ群との光軸上での間隔の最小値、
ｆT：望遠端における全系の焦点距離、
ωT：望遠端における半画角（°）
である。
【請求項１０】
光量を調節する開口絞りをさらに備え、該開口絞りは、第２レンズ群よりも像側で、撮像時の広角端から望遠端へのズーミングの際に空気間隔が変化しないレンズ素子の間に位置する、請求項１または２に記載のズームレンズ系。
【請求項１１】
以下の条件を満足する、請求項１または２に記載のズームレンズ系：
１．４９≦｜ｆ2／ｆW｜
【請求項１２】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１または２に記載のズームレンズ系である、撮像装置。
【請求項１３】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１または２に記載のズームレンズ系である、カメラ。
【発明の詳細な説明】
【技術分野】
【０００１】
本開示は、ズームレンズ系、撮像装置及びカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特に、１台のデジタルカメラで広角域から高望遠域までの広い焦点距離範囲をカバーすることができる、ズーム比が高いズームレンズ系を搭載したコンパクトタイプのデジタルカメラが、その利便性から強く要望されている。またさらに、撮影範囲が広い広角域を持つズームレンズ系を搭載したコンパクトタイプのデジタルカメラも求められている。
【０００３】
前記コンパクトタイプのデジタルカメラに対しては、例えば次のような種々のズームレンズ系が提案されている。
【０００４】
特許文献１〜８には、物体側から像側へと順に正負正正負の５つのレンズ群を有するズームレンズが開示されている。
【先行技術文献】
【特許文献】
【０００５】
【特許文献１】特開２００９−０７５５８１号公報
【特許文献２】特開２００９−１５０９７０号公報
【特許文献３】特開２００７−２６４３９０号公報
【特許文献４】特開２００７−２６４１７３号公報
【特許文献５】特許第４８４０３５４号公報
【特許文献６】特開平０８−２２０４３９号公報
【特許文献７】特開平０８−０４３７３４号公報
【特許文献８】特開平０７−１５１９７５号公報
【発明の概要】
【発明が解決しようとする課題】
【０００６】
本開示は、高性能であるのは勿論のこと、小型で、広角端から望遠端までのＦ値が小さくて明るく、広角撮影に充分に適応し得るズームレンズ系を提供する。また本開示は、該ズームレンズ系を含む撮像装置、及び該撮像装置を備えたカメラを提供する。
【課題を解決するための手段】
【０００７】
本開示におけるズームレンズ系は、
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
正のパワーを有する第４レンズ群と、
負のパワーを有する第５レンズ群とからなり、
前記第１レンズ群は、２枚以下のレンズ素子で構成されており、
前記第３レンズ群は、４枚以上のレンズ素子で構成されており、
撮像時の広角端から望遠端へのズーミングの際に、前記第１レンズ群及び前記第２レンズ群が光軸に沿って移動し、
以下の条件（１）、（２）及び（３）を満足する、ズームレンズ系：
０．０＜ＬGmax／ＬG2＜１．５  ・・・（１）
０．２＜｜ｆ2／ｆW｜  ・・・（２）
０．１＜｜ｆe／ｆ2｜≦１１．２６  ・・・（３）
ここで、
ＬGmax：第５レンズ群の光軸上での厚み、
ＬG2：第２レンズ群の光軸上での厚み、
ｆW：広角端における全系の焦点距離、
ｆ2：第２レンズ群の焦点距離、
ｆe：全系の最像側に位置し、負のパワーを有するレンズ群の焦点距離
である。
【０００８】
また、本開示におけるズームレンズ系は、
少なくとも１枚のレンズ素子で構成されたレンズ群を複数有するズームレンズ系であって、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群と、
負のパワーを有する第６レンズ群とからなり、
前記第１レンズ群は、２枚以下のレンズ素子で構成されており、
前記第３レンズ群は、４枚以上のレンズ素子で構成されており、
撮像時の広角端から望遠端へのズーミングの際に、前記第１レンズ群及び前記第２レンズ群が光軸に沿って移動し、
以下の条件（１）、（２）及び（３）を満足する、ズームレンズ系：
０．０＜ＬGmax／ＬG2＜１．５  ・・・（１）
０．２＜｜ｆ2／ｆW｜  ・・・（２）
０．１＜｜ｆe／ｆ2｜≦１１．２６  ・・・（３）
ここで、
ＬGmax：第４レンズ群より像側にあるレンズ群の光軸上での厚みの最大値、
ＬG2：第２レンズ群の光軸上での厚み、
ｆW：広角端における全系の焦点距離、
ｆ2：第２レンズ群の焦点距離、
ｆe：全系の最像側に位置し、負のパワーを有するレンズ群の焦点距離
である。
【０００９】
本開示における撮像装置及びカメラは、上記のいずれかのズームレンズ系を備えるものである。
【発明の効果】
【００１０】
本開示におけるズームレンズ系は、高性能であるのは勿論のこと、小型で、広角端から望遠端までのＦ値が小さくて明るく、広角撮影に充分に適応し得る。
【図面の簡単な説明】
【００１１】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６（数値実施例６）に係るズームレンズ系の無限遠合焦状態を示すレンズ配置図
【図１７】数値実施例６に係るズームレンズ系の無限遠合焦状態の縦収差図
【図１８】数値実施例６に係るズームレンズ系の望遠端における、像ぶれ補正を行っていない基本状態及び像ぶれ補正状態での横収差図
【図１９】実施の形態７に係るデジタルスチルカメラの概略構成図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜６）
図１、４、７、１０、１３及び１６は、各々実施の形態１〜６に係るズームレンズ系のレンズ配置図である。
【００１５】
図１、４、７、１０、１３及び１６はいずれも、無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、後述する第４レンズ群Ｇ４が無限遠合焦状態から近接物体合焦状態へのフォーカシングの際に移動する方向を示している。
【００１６】
実施の形態１〜５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５とを備える。実施の形態６に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６とを備える。
【００１７】
図１、４、７、１０、１３及び１６において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００１８】
図１、４、７、１０、１３及び１６に示すように、実施の形態１〜６に係るズームレンズ系では、第３レンズ群Ｇ３内のレンズ素子とレンズ素子との間に開口絞りＡが設けられている。
【００１９】
さらに図１０及び１３に示すように、実施の形態４及び５に係るズームレンズ系では、第５レンズ群Ｇ５と像面Ｓとの間に平行平板ＣＧが設けられている。
【００２０】
（実施の形態１）
図１に示すように、第１レンズ群Ｇ１は、両凸形状の第１レンズ素子Ｌ１のみからなる。
【００２１】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第２レンズ素子Ｌ２は、その両面が非球面である。
【００２２】
第３レンズ群Ｇ３は、物体側から像側へと順に、物体側に凸面を向けた正メニスカス形状の第５レンズ素子Ｌ５と、物体側に凸面を向けた正メニスカス形状の第６レンズ素子Ｌ６と、物体側に凸面を向けた負メニスカス形状の第７レンズ素子Ｌ７と、開口絞りＡと、物体側に凸面を向けた負メニスカス形状の第８レンズ素子Ｌ８と、両凸形状の第９レンズ素子Ｌ９とからなる。これらのうち、第６レンズ素子Ｌ６と第７レンズ素子Ｌ７とは接合されている。また、第５レンズ素子Ｌ５は、その両面が非球面であり、第９レンズ素子Ｌ９は、その像側面が非球面である。
【００２３】
第４レンズ群Ｇ４は、物体側に凸面を向けた正メニスカス形状の第１０レンズ素子Ｌ１０のみからなる。第１０レンズ素子Ｌ１０は、その像側面が非球面である。
【００２４】
第５レンズ群Ｇ５は、両凹形状の第１１レンズ素子Ｌ１１のみからなる。第１１レンズ素子Ｌ１１は、その物体側面が非球面である。
【００２５】
撮像時の広角端から望遠端へのズーミングの際に、第１レンズ群Ｇ１は像側に凸の軌跡を描いて物体側へ移動し、第２レンズ群Ｇ２は像側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と、第２レンズ群Ｇ２と、第３レンズ群Ｇ３と、第４レンズ群Ｇ４とが光軸に沿ってそれぞれ移動し、第５レンズ群Ｇ５は像面Ｓに対して固定である。
【００２６】
無限遠合焦状態から近接物体合焦状態へのフォーカシングの際に、第４レンズ群Ｇ４が光軸に沿って物体側へと移動する。
【００２７】
また、第３レンズ群Ｇ３の一部である第８レンズ素子Ｌ８及び第９レンズ素子Ｌ９が後述する像ぶれ補正レンズ群に相当し、これら２枚のレンズ素子を一体として光軸に直行する方向に移動させることによって、全系の振動による像点移動を補正する、すなわち、手ぶれ、振動等による像のぶれを光学的に補正することができる。
【００２８】
（実施の形態２）
図４に示すように、第１レンズ群Ｇ１は、物体側に凸面を向けた正メニスカス形状の第１レンズ素子Ｌ１のみからなる。
【００２９】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第２レンズ素子Ｌ２は、その両面が非球面である。
【００３０】
第３レンズ群Ｇ３は、物体側から像側へと順に、物体側に凸面を向けた正メニスカス形状の第５レンズ素子Ｌ５と、物体側に凸面を向けた正メニスカス形状の第６レンズ素子Ｌ６と、物体側に凸面を向けた負メニスカス形状の第７レンズ素子Ｌ７と、開口絞りＡと、物体側に凸面を向けた負メニスカス形状の第８レンズ素子Ｌ８と、両凸形状の第９レンズ素子Ｌ９とからなる。これらのうち、第６レンズ素子Ｌ６と第７レンズ素子Ｌ７とは接合されている。また、第５レンズ素子Ｌ５は、その物体側面が非球面であり、第９レンズ素子Ｌ９は、その両面が非球面である。
【００３１】
第４レンズ群Ｇ４は、物体側から像側へと順に、物体側に凸面を向けた正メニスカス形状の第１０レンズ素子Ｌ１０と、物体側に凸面を向けた負メニスカス形状の第１１レンズ素子Ｌ１１と、物体側に凸面を向けた正メニスカス形状の第１２レンズ素子Ｌ１２とからなる。これらのうち、第１１レンズ素子Ｌ１１と第１２レンズ素子Ｌ１２とは接合されている。また、第１０レンズ素子Ｌ１０は、その物体側面が非球面である。
【００３２】
第５レンズ群Ｇ５は、物体側に凸面を向けた負メニスカス形状の第１３レンズ素子Ｌ１３のみからなる。第１３レンズ素子Ｌ１３は、その像側面が非球面である。
【００３３】
撮像時の広角端から望遠端へのズーミングの際に、第１レンズ群Ｇ１は像側に凸の軌跡を描いて移動し、第２レンズ群Ｇ２は像側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と、第２レンズ群Ｇ２と、第３レンズ群Ｇ３と、第４レンズ群Ｇ４とが光軸に沿ってそれぞれ移動し、第５レンズ群Ｇ５は像面Ｓに対して固定である。
【００３４】
無限遠合焦状態から近接物体合焦状態へのフォーカシングの際に、第４レンズ群Ｇ４が光軸に沿って物体側へと移動する。
【００３５】
また、第３レンズ群Ｇ３の一部である第８レンズ素子Ｌ８及び第９レンズ素子Ｌ９が後述する像ぶれ補正レンズ群に相当し、これら２枚のレンズ素子を一体として光軸に直行する方向に移動させることによって、全系の振動による像点移動を補正する、すなわち、手ぶれ、振動等による像のぶれを光学的に補正することができる。
【００３６】
（実施の形態３）
図７に示すように、第１レンズ群Ｇ１は、物体側に凸面を向けた正メニスカス形状の第１レンズ素子Ｌ１のみからなる。
【００３７】
第２レンズ群Ｇ２は、物体側から像側へと順に、物体側に凸面を向けた負メニスカス形状の第２レンズ素子Ｌ２と、両凹形状の第３レンズ素子Ｌ３と、物体側に凸面を向けた正メニスカス形状の第４レンズ素子Ｌ４とからなる。第２レンズ素子Ｌ２は、その両面が非球面である。
【００３８】
第３レンズ群Ｇ３は、物体側から像側へと順に、両凸形状の第５レンズ素子Ｌ５と、両凸形状の第６レンズ素子Ｌ６と、両凹形状の第７レンズ素子Ｌ７と、開口絞りＡと、物体側に凸面を向けた負メニスカス形状の第８レンズ素子Ｌ８と、両凸形状の第９レンズ素子Ｌ９とからなる。これらのうち、第６レンズ素子Ｌ６と第７レンズ素子Ｌ７とは接合されている。また、第５レンズ素子Ｌ５は、その物体側面が非球面である。第９レンズ素子Ｌ９は、その両面が非球面である。
【００３９】
第４レンズ群Ｇ４は、物体側に凸面を向けた正メニスカス形状の第１０レンズ素子Ｌ１０のみからなる。
【００４０】
第５レンズ群Ｇ５は、物体側から像側へと順に、物体側に凸面を向けた負メニスカス形状の第１１レンズ素子Ｌ１１と、物体側に凸面を向けた正メニスカス形状の第１２レンズ素子Ｌ１２と、物体側に凸面を向けた負メニスカス形状の第１３レンズ素子Ｌ１３とからなる。これらのうち、第１２レンズ素子Ｌ１２と第１３レンズ素子Ｌ１３とは接合されている。また、第１１レンズ素子Ｌ１１は、その物体側面が非球面である。
【００４１】
撮像時の広角端から望遠端へのズーミングの際に、第１レンズ群Ｇ１は像側に凸の軌跡を描いて物体側へ移動し、第２レンズ群Ｇ２は像側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と、第２レンズ群Ｇ２と、第３レンズ群Ｇ３と、第４レンズ群Ｇ４とが光軸に沿ってそれぞれ移動し、第５レンズ群Ｇ５は像面Ｓに対して固定である。
【００４２】
無限遠合焦状態から近接物体合焦状態へのフォーカシングの際に、第４レンズ群Ｇ４が光軸に沿って物体側へと移動する。
【００４３】
また、第３レンズ群Ｇ３の一部である第８レンズ素子Ｌ８及び第９レンズ素子Ｌ９が後述する像ぶれ補正レンズ群に相当し、これら２枚のレンズ素子を一体として光軸に直行する方向に移動させることによって、全系の振動による像点移動を補正する、すなわち、手ぶれ、振動等による像のぶれを光学的に補正することができる。
【００４４】
（実施の形態４）
図１０に示すように、第１レンズ群Ｇ１は、両凸形状の第１レンズ素子Ｌ１のみからなる。
【００４５】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４とからなる。第２レンズ素子Ｌ２は、その両面が非球面である。
【００４６】
第３レンズ群Ｇ３は、物体側から像側へと順に、両凸形状の第５レンズ素子Ｌ５と、物体側に凸面を向けた正メニスカス形状の第６レンズ素子Ｌ６と、物体側に凸面を向けた負メニスカス形状の第７レンズ素子Ｌ７と、開口絞りＡと、物体側に凸面を向けた負メニスカス形状の第８レンズ素子Ｌ８と、両凸形状の第９レンズ素子Ｌ９とからなる。これらのうち、第６レンズ素子Ｌ６と第７レンズ素子Ｌ７とは接合されている。また、第５レンズ素子Ｌ５は、その両面が非球面であり、第９レンズ素子Ｌ９は、その像側面が非球面である。
【００４７】
第４レンズ群Ｇ４は、両凸形状の第１０レンズ素子Ｌ１０のみからなる。第１０レンズ素子Ｌ１０は、その像側面が非球面である。
【００４８】
第５レンズ群Ｇ５は、両凹形状の第１１レンズ素子Ｌ１１のみからなる。第１１レンズ素子Ｌ１１は、その物体側面が非球面である。
【００４９】
撮像時の広角端から望遠端へのズーミングの際に、第１レンズ群Ｇ１は像側に凸の軌跡を描いて物体側に移動し、第２レンズ群Ｇ２は像側へ移動し、第３レンズ群Ｇ３は物体側へ移動し、第４レンズ群Ｇ４は物体側へ移動し、第５レンズ群Ｇ５は物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と、第２レンズ群Ｇ２と、第３レンズ群Ｇ３と、第４レンズ群Ｇ４と、第５レンズ群Ｇ５とが光軸に沿ってそれぞれ移動する。
【００５０】
無限遠合焦状態から近接物体合焦状態へのフォーカシングの際に、第４レンズ群Ｇ４が光軸に沿って物体側へと移動する。
【００５１】
また、第３レンズ群Ｇ３の一部である第８レンズ素子Ｌ８及び第９レンズ素子Ｌ９が後述する像ぶれ補正レンズ群に相当し、これら２枚のレンズ素子を一体として光軸に直行する方向に移動させることによって、全系の振動による像点移動を補正する、すなわち、手ぶれ、振動等による像のぶれを光学的に補正することができる。
【００５２】
（実施の形態５）
図１３に示すように、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これら第１レンズ素子Ｌ１と第２レンズ素子Ｌ２とは接合されている。
【００５３】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６とからなる。第３レンズ素子Ｌ３は、その両面が非球面である。
【００５４】
第３レンズ群Ｇ３は、物体側から像側へと順に、両凸形状の第７レンズ素子Ｌ７と、物体側に凸面を向けた正メニスカス形状の第８レンズ素子Ｌ８と、物体側に凸面を向けた負メニスカス形状の第９レンズ素子Ｌ９と、開口絞りＡと、両凹形状の第１０レンズ素子Ｌ１０と、両凸形状の第１１レンズ素子Ｌ１１とからなる。これらのうち、第８レンズ素子Ｌ８と第９レンズ素子Ｌ９とは接合されている。また、第７レンズ素子Ｌ７は、その両面が非球面であり、第１１レンズ素子Ｌ１１は、その両面が非球面である。
【００５５】
第４レンズ群Ｇ４は、物体側に凸面を向けた正メニスカス形状の第１２レンズ素子Ｌ１２のみからなる。第１２レンズ素子Ｌ１２は、その両面が非球面である。
【００５６】
第５レンズ群Ｇ５は、物体側に凸面を向けた負メニスカス形状の第１３レンズ素子Ｌ１３のみからなる。第１３レンズ素子Ｌ１３は、その物体側面が非球面である。
【００５７】
撮像時の広角端から望遠端へのズーミングの際に、第１レンズ群Ｇ１は物体側へ移動し、第２レンズ群Ｇ２は像側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と、第２レンズ群Ｇ２と、第３レンズ群Ｇ３と、第４レンズ群Ｇ４とが光軸に沿ってそれぞれ移動し、第５レンズ群Ｇ５は像面Ｓに対して固定である。
【００５８】
無限遠合焦状態から近接物体合焦状態へのフォーカシングの際に、第４レンズ群Ｇ４が光軸に沿って物体側へと移動する。
【００５９】
また、第３レンズ群Ｇ３の一部である第１０レンズ素子Ｌ１０及び第１１レンズ素子Ｌ１１が後述する像ぶれ補正レンズ群に相当し、これら２枚のレンズ素子を一体として光軸に直行する方向に移動させることによって、全系の振動による像点移動を補正する、すなわち、手ぶれ、振動等による像のぶれを光学的に補正することができる。
【００６０】
（実施の形態６）
図１６に示すように、第１レンズ群Ｇ１は、両凸形状の第１レンズ素子Ｌ１のみからなる。
【００６１】
第２レンズ群Ｇ２は、物体側から像側へと順に、両凹形状の第２レンズ素子Ｌ２と、両凹形状の第３レンズ素子Ｌ３と、物体側に凸面を向けた正メニスカス形状の第４レンズ素子Ｌ４とからなる。第２レンズ素子Ｌ２は、その両面が非球面である。
【００６２】
第３レンズ群Ｇ３は、物体側から像側へと順に、物体側に凸面を向けた正メニスカス形状の第５レンズ素子Ｌ５と、物体側に凸面を向けた負メニスカス形状の第６レンズ素子Ｌ６と、物体側に凸面を向けた負メニスカス形状の第７レンズ素子Ｌ７と、開口絞りＡと、物体側に凸面を向けた負メニスカス形状の第８レンズ素子Ｌ８と、両凸形状の第９レンズ素子Ｌ９とからなる。これらのうち、第６レンズ素子Ｌ６と第７レンズ素子Ｌ７とは接合されている。また、第５レンズ素子Ｌ５は、その両面が非球面である。
【００６３】
第４レンズ群Ｇ４は、物体側に凸面を向けた負メニスカス形状の第１０レンズ素子Ｌ１０のみからなる。
【００６４】
第５レンズ群Ｇ５は、両凸形状の第１１レンズ素子Ｌ１１のみからなる。
【００６５】
第６レンズ群Ｇ６は、物体側に凸面を向けた負メニスカス形状の第１２レンズ素子Ｌ１２のみからなる。第１２レンズ素子Ｌ１２は、その物体側面が非球面である。
【００６６】
撮像時の広角端から望遠端へのズーミングの際に、第１レンズ群Ｇ１は像側に凸の軌跡を描いて物体側へ移動し、第２レンズ群Ｇ２は像側へ移動し、第３レンズ群Ｇ３は物体側へ移動し、第４レンズ群Ｇ４は物体側へ移動し、第５レンズ群Ｇ５は物体側へ移動し、第６レンズ群Ｇ６は物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大し、第５レンズ群Ｇ５と第６レンズ群Ｇ６との間隔が増大するように、第１レンズ群Ｇ１と、第２レンズ群Ｇ２と、第３レンズ群Ｇ３と、第４レンズ群Ｇ４と、第５レンズ群Ｇ５と、第６レンズ群Ｇ６とが光軸に沿ってそれぞれ移動する。
【００６７】
無限遠合焦状態から近接物体合焦状態へのフォーカシングの際に、第４レンズ群Ｇ４が光軸に沿って物体側へと移動する。
【００６８】
また、第３レンズ群Ｇ３の一部である第８レンズ素子Ｌ８及び第９レンズ素子Ｌ９が後述する像ぶれ補正レンズ群に相当し、これら２枚のレンズ素子を一体として光軸に直行する方向に移動させることによって、全系の振動による像点移動を補正する、すなわち、手ぶれ、振動等による像のぶれを光学的に補正することができる。
【００６９】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【００７０】
以下、例えば実施の形態１〜６に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００７１】
例えば実施の形態１〜６に係るズームレンズ系のように、少なくとも１枚のレンズ素子で構成されたレンズ群を複数有し、物体側から像側へと順に、正のパワーを有する第１レンズ群と、負のパワーを有する第２レンズ群と、正のパワーを有する第３レンズ群と、第４レンズ群と、少なくとも１つの後続レンズ群とを備え、前記後続レンズ群は、負のパワーを有するレンズ群を含み、前記第１レンズ群は、２枚以下のレンズ素子で構成されており、前記第３レンズ群は、４枚以上のレンズ素子で構成されており、撮像時の広角端から望遠端へのズーミングの際に、前記第１レンズ群及び前記第２レンズ群が光軸に沿って移動する（以下、このレンズ構成を、実施の形態の基本構成という）ズームレンズ系は、以下の条件（１）、（２）及び（３）を満足する。
０．０＜ＬGmax／ＬG2＜１．５  ・・・（１）
０．２＜｜ｆ2／ｆW｜  ・・・（２）
０．１＜｜ｆe／ｆ2｜  ・・・（３）
ここで、
ＬGmax：後続レンズ群の光軸上での厚みの最大値、
ＬG2：第２レンズ群の光軸上での厚み、
ｆW：広角端における全系の焦点距離、
ｆ2：第２レンズ群の焦点距離、
ｆe：全系の最像側に位置し、負のパワーを有するレンズ群の焦点距離
である。
【００７２】
前記条件（１）は、後続レンズ群の光軸上での厚みの最大値を規定する条件である。条件（１）の上限を上回ると、光学系が縮小する側に位置する後続レンズ群の厚みが大きくなり、コンパクトなレンズ鏡筒や撮像装置及びカメラを提供することが困難になる。
【００７３】
前記条件（２）は、第２レンズ群の焦点距離と、広角端における全系の焦点距離との関係を規定する条件である。条件（２）の下限を下回ると、第２レンズ群の焦点距離が短くなり、変倍時の収差変動が大きくなって、諸収差の補正が困難になる。
【００７４】
前記条件（３）は、全系の最像側に位置し、負のパワーを有するレンズ群の焦点距離と、第２レンズ群の焦点距離との関係を規定する条件である。条件（３）の下限を下回ると、ズーム全域での像面の平坦性を確保することが困難になる。
【００７５】
なお、以下の条件（１）’、（２）’及び（３）’を満足することにより、前記効果をさらに奏功させることができる。
０．０＜ＬGmax／ＬG2＜１．２  ・・・（１）’
０．５＜｜ｆ2／ｆW｜＜２０  ・・・（２）’
０．３＜｜ｆe／ｆ2｜＜７０  ・・・（３）’
【００７６】
条件（２）’の上限を上回ると、第２レンズ群の焦点距離が長くなり、ズームレンズ系に所望の変倍作用を付与するための第２レンズ群の移動量が大きくなりすぎ、コンパクトなレンズ鏡筒や撮像装置及びカメラを提供することが困難になる。
【００７７】
条件（３）’の上限を上回ると、全系の最像側に位置し、負のパワーを有するレンズ群の焦点距離が長くなり、より物体側に位置するレンズ群や光学系全体に対する縮小作用が低下して光学系全体が長くなってしまい、コンパクトなレンズ鏡筒や撮像装置及びカメラを提供することが困難になる。
【００７８】
なお、さらに以下の条件（１）’’、（２）’’及び（３）’’を満足することにより、前記効果をより一層奏功させることができる。
０．０＜ＬGmax／ＬG2＜０．７  ・・・（１）’’
１．０＜｜ｆ2／ｆW｜＜６．０  ・・・（２）’’
０．５＜｜ｆe／ｆ2｜＜３０  ・・・（３）’’
【００７９】
例えば実施の形態１〜６に係るズームレンズ系のように、基本構成を有するズームレンズ系においては、第２レンズ群は、少なくとも１枚の正のパワーを有するレンズ素子を有し、以下の条件（４）及び（５）を満足することが有益である。
ｎ2p＞１．８  ・・・（４）
ｖ2p＜２４  ・・・（５）
ここで、
ｎ2p：第２レンズ群を構成する正のパワーを有するレンズ素子の、ｄ線に対する屈折率の平均値、
ｖ2p：第２レンズ群を構成する正のパワーを有するレンズ素子の、ｄ線に対するアッベ数の平均値
である。
【００８０】
前記条件（４）及び（５）は、第２レンズ群を構成する正のパワーを有するレンズ素子の、ｄ線に対する屈折率の平均値及びｄ線に対するアッベ数の平均値をそれぞれ規定する条件である。条件（４）の下限を下回ると、正のパワーを有するレンズ素子の焦点距離が長くなるため、第２レンズ群全体の像面をオーバー側に倒す作用が強くなりすぎて、特に広角側での像面の平坦性を確保することが困難になる。条件（５）の上限を上回ると、第２レンズ群中の負のパワーを有するレンズ素子で発生する色収差を補正することが困難になる。
【００８１】
なお、以下の条件（４）’及び（５）’を満足することにより、前記効果をさらに奏功させることができる。
ｎ2p＞１．９  ・・・（４）’
ｖ2p＜２２  ・・・（５）’
【００８２】
なお、さらに以下の条件（４）’’及び（５）’’を満足することにより、前記効果をより一層奏功させることができる。
ｎ2p＞１．９５  ・・・（４）’’
ｖ2p＜１９  ・・・（５）’’
【００８３】
例えば実施の形態１〜６に係るズームレンズ系のように、基本構成を有するズームレンズ系は、以下の条件（６）を満足することが有益である。
０．５＜ＬG3／（ｆT×ｔａｎ（ωT））＜１０  ・・・（６）
ここで、
ＬG3：第３レンズ群の光軸上での厚み、
ｆT：望遠端における全系の焦点距離、
ωT：望遠端における半画角（°）
である。
【００８４】
前記条件（６）は、第３レンズ群の光軸上での厚みと、望遠端における全系の焦点距離と、望遠端における半画角との関係を規定する条件である。条件（６）の下限を下回ると、第３レンズ群内におけるレンズ素子同士の間隔が狭くなり、特に望遠端における像面湾曲の補正が困難になる。また、レンズ素子間隔の誤差に対する性能劣化の度合いが高くなるため、光学系の組み立てが困難になる。逆に条件（６）の上限を上回ると、第３レンズ群の光軸上での厚みが大きくなり、光学系全体の厚みも大きくなってしまう。
【００８５】
なお、以下の条件（６−１）’及び（６−２）’の少なくとも１つを満足することにより、前記効果をさらに奏功させることができる。
１．５＜ＬG3／（ｆT×ｔａｎ（ωT））  ・・・（６−１）’
ＬG3／（ｆT×ｔａｎ（ωT））＜８  ・・・（６−２）’
【００８６】
なお、さらに以下の条件（６−１）’’及び（６−２）’’の少なくとも１つを満足することにより、前記効果をより一層奏功させることができる。
２．０＜ＬG3／（ｆT×ｔａｎ（ωT））  ・・・（６−１）’’
ＬG3／（ｆT×ｔａｎ（ωT））＜６  ・・・（６−２）’’
【００８７】
例えば実施の形態１〜３及び５に係るズームレンズ系のように、基本構成を有するズームレンズ系においては、撮像時の広角端から望遠端へのズーミングの際に、後続レンズ群の少なくとも１つは像面に対して固定されており、以下の条件（７）を満足することが有益である。
０．０５＜ΔＦ／（ｆT×ｔａｎ（ωT））  ・・・（７）
ここで、
ΔＦ：像面に対して固定されているレンズ群と、該固定されているレンズ群と隣り合うレンズ群との光軸上での間隔の最小値、
ｆT：望遠端における全系の焦点距離、
ωT：望遠端における半画角（°）
である。
【００８８】
前記条件（７）は、ズーミングの際に像面に対して固定されているレンズ群と、該固定されているレンズ群と隣り合うレンズ群との光軸上での間隔の最小値を規定する条件である。条件（７）の下限を下回ると、該間隔の最小値が小さくなりすぎるため、ズーミングの際に移動するレンズ群が、ズーミングの際に固定されているレンズ群に対して、物理的な干渉を防止するスペースがなくなってしまう。
【００８９】
なお、以下の条件（７）’を満足することにより、前記効果をさらに奏功させることができる。
０．０５＜ΔＦ／（ｆT×ｔａｎ（ωT））＜４  ・・・（７）’
【００９０】
条件（７）’の上限を上回ると、前記間隔の最小値が大きくなりすぎるため、光学全長が長くなり、光学系が大型化してしまう。
【００９１】
なお、さらに以下の条件（７−１）’’及び（７−２）’’の少なくとも１つを満足することにより、前記効果をより一層奏功させることができる。
０．１０＜ΔＦ／（ｆT×ｔａｎ（ωT））  ・・・（７−１）’’
ΔＦ／（ｆT×ｔａｎ（ωT））＜２  ・・・（７−２）’’
【００９２】
実施の形態１〜６に係るズームレンズ系のように、像のぶれを光学的に補正するために光軸に対して垂直方向に移動する像ぶれ補正レンズ群を備えていることが有益である。該像ぶれ補正レンズ群により、全系の振動による像点移動を補正することができる。
【００９３】
全系の振動による像点移動を補正する際に、このように像ぶれ補正レンズ群が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。
【００９４】
なお、像ぶれ補正レンズ群は、レンズ系を構成するいずれか１つのレンズ群全体であってもよく、レンズ系を構成するいずれか１つのレンズ群の一部を構成するサブレンズ群であってもよい。該サブレンズ群は、１枚のレンズ素子であってもよく、隣り合った複数のレンズ素子であってもよい。
【００９５】
実施の形態１〜４及び６に係るズームレンズ系のように、撮像時の広角端から望遠端へのズーミングの際に、第１レンズ群は像側に凸の軌跡を描いて移動することが有益である。第１レンズ群が像側に凸の軌跡を描いて移動すると、広角端から望遠端までの間の中間ズーム位置で第１レンズ群と第２レンズ群との間隔を小さくすることができるので、光学系が小型であっても、周辺光量を確保し易い。
【００９６】
実施の形態１〜６に係るズームレンズ系のように、全系の最像側に位置するレンズ群は、３枚以下のレンズ素子で構成されることが有益である。全系の最像側に位置するレンズ群を３枚以下のレンズ素子で構成することで、レンズ群の厚みを小さくすることができるので、光学系の小型化が容易になり、加えて、像面の平坦性を確保することが容易になる。
【００９７】
さらに、全系の最像側に位置するレンズ群を１枚のレンズ素子で構成すると、レンズ群の厚みをさらに小さくすることができるので、光学系の小型化がより一層容易になる。
【００９８】
実施の形態１〜６に係るズームレンズ系のように、全系の像側から２番目に位置するレンズ群は、３枚以下のレンズ素子で構成されることが有益である。全系の像側から２番目に位置するレンズ群を３枚以下のレンズ素子で構成することで、レンズ群の厚みを小さくすることができるので、光学系の小型化が容易になり、加えて、像面の平坦性を確保することが容易になる。
【００９９】
さらに、全系の像側から２番目に位置するレンズ群を１枚のレンズ素子で構成すると、レンズ群の厚みをさらに小さくすることができるので、光学系の小型化がより一層容易になる。
【０１００】
実施の形態１〜３及び５に係るズームレンズ系のように、撮像時の広角端から望遠端へのズーミングの際に、後続レンズ群の少なくとも１つは像面に対して固定されていることが有益である。ズーミングの際に全てのレンズ群が像面に対して移動すると、それらの駆動機構の構成が肥大化し、コンパクトなレンズ鏡筒や撮像装置及びカメラを提供することが困難になる。
【０１０１】
なお、全系の最像側に位置するレンズ群を像面に対して固定すると、像面との位置精度を高め易くなり、光学系の組み立て時の調整が容易になる。
【０１０２】
実施の形態１〜６に係るズームレンズ系のように、光量を調節する開口絞りをさらに備え、該開口絞りは、第２レンズ群よりも像側で、撮像時の広角端から望遠端へのズーミングの際に空気間隔が変化しないレンズ素子の間に位置することが有益である。該開口絞りが第２レンズ群よりも物体側に位置すると、開口絞り径が肥大化し、コンパクトなレンズ鏡筒や撮像装置及びカメラを提供することが困難になる。
【０１０３】
さらに、開口絞りが第３レンズ群を構成するレンズ素子とレンズ素子との間の空気間隔よりも像側に位置すると、光学系において光束がより縮小する側に開口絞りが配置されるので、開口絞り径の小型化が可能になり、コンパクトなレンズ鏡筒や撮像装置及びカメラの提供が容易になる。
【０１０４】
実施の形態１〜５に係るズームレンズ系のように、第４レンズ群は正のパワーを有し、該第４レンズ群の像側に、後続レンズ群として負のパワーを有する第５レンズ群を備えることが有益である。第５レンズ群が負のパワーを有することにより、第５レンズ群よりも物体側に位置する光学系を縮小させることができ、加えて、第４レンズ群が正のパワーを有することにより、収差のバランスが向上する。
【０１０５】
実施の形態６に係るズームレンズ系のように、第４レンズ群は負のパワーを有し、該第４レンズ群の像側に、後続レンズ群として正のパワーを有する第５レンズ群と負のパワーを有する第６レンズ群とを順に備えることが有益である。第６レンズ群が負のパワーを有することにより、第６レンズ群よりも物体側に位置する光学系を縮小させることができ、加えて、第４レンズ群が負のパワーを有し、第５レンズ群が正のパワーを有し、第６レンズ群が負のパワーを有することにより、収差のバランスが向上する。
【０１０６】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１０７】
（実施の形態７）
図１９は、実施の形態７に係るデジタルスチルカメラの概略構成図である。図１９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１９において、ズームレンズ系１は、物体側から像側へと順に、第１レンズ群Ｇ１と、第２レンズ群Ｇ２と、開口絞りＡを含む第３レンズ群Ｇ３と、第４レンズ群Ｇ４と、第５レンズ群Ｇ５とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１０８】
鏡筒は、主鏡筒５と、移動鏡筒６と、円筒カム７とで構成されている。円筒カム７を回転させると、第１レンズ群Ｇ１、第２レンズ群Ｇ２、開口絞りＡを含む第３レンズ群Ｇ３、第４レンズ群Ｇ４及び第５レンズ群Ｇ５が撮像素子２を基準にした所定の位置に移動し、広角端から望遠端までの変倍を行うことができる。第４レンズ群Ｇ４はフォーカス調整用駆動装置により光軸方向に移動可能である。
【０１０９】
像ぶれ補正時には、像ぶれ補正レンズ群である第３レンズ群Ｇ３の一部のサブレンズ群が、像ぶれ補正レンズ用駆動装置８により光軸に直交する方向に移動し、全系の振動による像点移動が補正される。
【０１１０】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１９に示したデジタルスチルカメラには、実施の形態１に係るズームレンズ系の替わりに実施の形態２〜６に係るズームレンズ系のいずれかを用いてもよい。また、図１９に示したデジタルスチルカメラの光学系は、動画像を対象とするデジタルビデオカメラに用いることもできる。この場合、静止画像だけでなく、解像度の高い動画像を撮影することができる。
【０１１１】
なお、本実施の形態７に係るデジタルスチルカメラでは、ズームレンズ系１として実施の形態１〜６に係るズームレンズ系を示したが、これらのズームレンズ系は、全てのズーミング域を使用する必要はない。すなわち、所望のズーミング域に応じて、光学性能が確保されている範囲を切り出し、実施の形態１〜６で説明したズームレンズ系よりも低倍率のズームレンズ系として使用してもよい。
【０１１２】
さらに、実施の形態７では、いわゆる沈胴構成の鏡筒にズームレンズ系を適用した例を示したが、これに限られない。例えば、第２レンズ群Ｇ２と第３レンズ群Ｇ３との間等の任意の位置に、内部反射面を持つプリズムや、表面反射ミラーを配置し、いわゆる屈曲構成の鏡筒にズームレンズ系を適用してもよい。
【０１１３】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１１４】
また、以上説明した実施の形態１〜６に係るズームレンズ系と、ＣＣＤやＣＭＯＳ等の撮像素子とから構成される撮像装置を、スマートフォン等の携帯情報端末のカメラ、監視システムにおける監視カメラ、Ｗｅｂカメラ、車載カメラ等に適用することもできる。
【０１１５】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
0005919519.tif 000002
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１６】
図２、５、８、１１、１４及び１７は、各々数値実施例１〜６に係るズームレンズ系の無限遠合焦状態の縦収差図である。
【０１１７】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１１８】
また図３、６、９、１２、１５及び１８は、各々数値実施例１〜６に係るズームレンズ系の望遠端における横収差図である。
【０１１９】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１２０】
なお、各数値実施例のズームレンズ系について、望遠端における、像ぶれ補正状態での像ぶれ補正レンズ群の光軸と垂直な方向への移動量は、以下に示すとおりである。
数値実施例１  ０．３８０ｍｍ
数値実施例２  ０．２７０ｍｍ
数値実施例３  ０．２９０ｍｍ
数値実施例４  ０．３１０ｍｍ
数値実施例５  ０．９００ｍｍ
数値実施例６  ０．２１０ｍｍ
【０１２１】
数値実施例１〜４及び６について、撮影距離が∞で望遠端において、ズームレンズ系が０．６°だけ傾いた場合の像偏心量は、像ぶれ補正レンズ群が光軸と垂直な方向に上記の各値だけ平行移動するときの像偏心量に等しい。数値実施例５について、撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１２２】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、数値実施例１〜４及び６に係るズームレンズ系では０．６°までの像ぶれ補正角に対して、数値実施例５に係るズームレンズ系では０．３°までの像ぶれ補正角に対して、結像特性を低下させることなく充分な像ぶれ補正を行うことが可能である。
【０１２３】
（数値実施例１）
数値実施例１のズームレンズ系は、図１に示した実施の形態１に対応する。数値実施例１のズームレンズ系の面データを表１に、非球面データを表２に、各種データを表３に示す。
【０１２４】
表  １（面データ）
面番号         r           d           nd         vd
物面             ∞
1        216.75700     2.85700     1.48749    70.4 
2       -133.71100        可変
3*        88.17100     0.75000     1.77448    48.4 
4*        11.07300     6.17300 
5        -33.65000     0.50000     1.51377    61.2 
6         40.24900     0.15000 
7         24.48900     2.50000     2.00272    19.3 
8         64.55600        可変
9*        10.52500     2.79500     1.88589    39.4 
10*        92.21100     0.15000 
11         10.60500     1.85900     1.74470    51.5 
12         36.56700     0.50000     1.83644    22.0 
13          6.74200     2.17700 
14(絞り)           ∞     0.95300
15        144.00200     1.00000     1.74316    25.2 
16         14.92400     0.75000 
17         14.32400     1.77600     1.79542    46.5 
18*       -39.44200        可変
19         12.54100     3.00000     1.80271    46.0 
20*        42.53300        可変
21*       -40.65700     0.75000     1.62804    33.3 
22        182.59200        (BF) 
像面             ∞
【０１２５】
表  ２（非球面データ）
第3面
K= 0.00000E+00, A4=-2.17088E-05, A6= 3.37962E-07, A8=-2.37415E-09
A10= 5.49658E-12 
第4面
K= 0.00000E+00, A4=-3.60222E-05, A6=-3.52002E-07, A8= 1.10512E-08
A10=-1.13987E-10 
第9面
K=-3.20760E-02, A4=-3.26994E-05, A6= 5.37156E-07, A8=-2.13251E-08
A10= 7.20991E-10 
第10面
K= 0.00000E+00, A4= 7.55776E-05, A6= 2.05054E-07, A8= 6.35669E-09
A10= 4.11386E-10 
第18面
K= 0.00000E+00, A4= 2.96162E-05, A6= 1.74765E-08, A8= 2.91123E-08
A10=-5.91345E-10 
第20面
K= 0.00000E+00, A4= 2.45591E-05, A6=-1.81779E-06, A8= 9.00675E-08
A10=-1.89123E-09 
第21面
K= 0.00000E+00, A4=-1.78372E-04, A6= 1.46658E-05, A8=-6.60227E-07
A10= 9.18649E-09
【０１２６】
表  ３（各種データ）
ズーム比     3.79996
広角      中間      望遠
焦点距離       4.8696    9.3938   18.5044
Ｆナンバー     1.44202   1.77795   2.29525
画角        43.0143   25.0088   12.7683
像高         3.8600    4.2700    4.2700
レンズ全長     65.8352   62.5017   82.9108
ＢＦ        1.93269   1.95852   1.92218
d2           0.5000   12.1232   34.9683 
d8          29.3406   10.2534    0.7000 
d18          3.8060    6.9419   12.9755 
d20          1.6159    2.5847    3.7048 
入射瞳位置     16.1016   28.5983   62.0814
射出瞳位置    -11.5063  -16.8039  -30.8019
前側主点位置   19.2068   33.2889   70.1222
後側主点位置   60.9656   53.1079   64.4063
ズームレンズ群データ
群   始面    焦点距離  レンズ構成長    前側主点位置  後側主点位置
1      1   170.09377     2.85700         1.19109       2.12225
2      3   -15.48398    10.07300         0.86451       2.85128
3      9    15.18790    11.96000         1.42710       2.82833
4     19    21.21144     3.00000        -0.66619       0.74061
5     21   -52.87817     0.75000         0.08379       0.37371
【０１２７】
（数値実施例２）
数値実施例２のズームレンズ系は、図４に示した実施の形態２に対応する。数値実施例２のズームレンズ系の面データを表４に、非球面データを表５に、各種データを表６に示す。
【０１２８】
表  ４（面データ）
面番号         r           d           nd         vd
物面             ∞
1         18.76900     4.56700     1.61800    63.4 
2        101.98000        可変
3*        75.51900     0.75000     1.73417    52.8 
4*         8.36500     5.33900 
5        -22.15600     1.00000     1.64347    60.0 
6         22.71400     0.15000 
7         18.53300     1.87700     1.99000    19.0 
8         48.21000        可変
9*        13.31900     2.10300     1.93161    26.3 
10        421.96800     0.60900 
11         11.64000     2.05800     1.71885    54.4 
12        166.58300     0.50000     1.97554    19.2 
13          9.26700     2.02500 
14(絞り)           ∞     0.94300
15        163.98600     1.00000     1.95594    19.5 
16         19.80300     0.85400 
17*        13.29900     2.55500     1.72082    54.2 
18*       -20.32000        可変
19*        51.02600     1.12200     1.88300    40.8 
20        119.38700     0.15000 
21         23.09400     0.50000     1.48700    82.0 
22         10.71800     1.38100     1.95747    22.3 
23         20.51100        可変
24         16.24000     0.75000     1.63550    23.9 
25*        12.70200        (BF) 
像面             ∞
【０１２９】
表  ５（非球面データ）
第3面
K= 0.00000E+00, A4=-1.54026E-05, A6= 3.97336E-07, A8=-2.54627E-09
A10= 4.89705E-12 
第4面
K= 0.00000E+00, A4=-2.68846E-05, A6=-8.56347E-08, A8= 1.86289E-10
A10= 1.95052E-10 
第9面
K= 5.43970E-01, A4=-7.61924E-05, A6=-6.53856E-07, A8= 4.24068E-09
A10=-9.15692E-11 
第17面
K= 0.00000E+00, A4=-1.91518E-04, A6=-2.76028E-07, A8= 1.96711E-08
A10= 0.00000E+00 
第18面
K= 0.00000E+00, A4=-7.00488E-05, A6=-4.07578E-07, A8= 1.22831E-08
A10= 1.75685E-10 
第19面
K= 0.00000E+00, A4=-5.93840E-05, A6= 5.44141E-07, A8= 0.00000E+00
A10= 0.00000E+00 
第25面
K= 0.00000E+00, A4=-5.63299E-05, A6=-7.13263E-07, A8= 2.06193E-07
A10=-5.49513E-10 
【０１３０】
表  ６（各種データ）
ズーム比     3.99978
広角      中間      望遠
焦点距離       5.9757   11.9349   23.9013
Ｆナンバー     1.44221   1.74828   2.27750
画角        37.2339   20.5966   10.1558
像高         3.8600    4.2700    4.2700
レンズ全長     59.7639   55.6071   59.7455
ＢＦ        3.53508   3.53508   3.53508
d2           0.5000    4.4699    7.8973 
d8          19.9474    7.4873    0.1500 
d18          4.2680    7.1562   14.6481 
d23          1.2804    2.7091    3.2971 
入射瞳位置     18.7594   27.5028   36.8900
射出瞳位置    -12.6856  -17.6779  -31.9435
前側主点位置   22.5336   32.7280   44.6826
後側主点位置   53.7882   43.6722   35.8441
ズームレンズ群データ
群   始面    焦点距離  レンズ構成長    前側主点位置  後側主点位置
1      1    36.45677     4.56700        -0.62360       1.17874
2      3    -8.87705     9.11600         1.72194       3.94601
3      9    14.35284    12.64700         4.28978       4.42706
4     19    32.75629     3.15300        -0.74260       0.72245
5     24   -99.98091     0.75000         2.29388       2.54414
【０１３１】
（数値実施例３）
数値実施例３のズームレンズ系は、図７に示した実施の形態３に対応する。数値実施例３のズームレンズ系の面データを表７に、非球面データを表８に、各種データを表９に示す。
【０１３２】
表  ７（面データ）
面番号         r           d           nd         vd
物面             ∞
1         18.24400     4.46400     1.62336    61.9 
2         62.81000        可変
3*        51.58300     0.75000     1.73173    53.1 
4*         8.31800     5.61500 
5        -21.05000     1.00000     1.64101    60.2 
6         21.16400     0.15000 
7         18.33100     1.98100     1.99000    19.0 
8         54.05100        可変
9*        14.11000     1.98500     1.90637    32.0 
10      -2150.46900     1.46400 
11         12.36100     1.94000     1.71972    54.3 
12       -689.69300     0.50000     1.93464    19.9 
13          9.89000     1.87300 
14(絞り)           ∞     0.94600
15        163.72000     1.00000     1.93168    25.6 
16         18.11900     0.85400 
17*        13.53600     2.60400     1.70623    55.2 
18*       -19.55500        可変
19         19.75400     1.58300     1.99000    19.0 
20         62.39600        可変
21*        24.71700     0.75000     1.66426    30.9 
22         11.19800     0.15000 
23          9.24700     1.61800     1.87610    41.2 
24         15.44400     0.50000     1.71256    36.7 
25         10.55400        (BF) 
像面             ∞
【０１３３】
表  ８（非球面データ）
第3面
K= 0.00000E+00, A4=-2.70896E-05, A6= 5.70440E-07, A8=-3.32025E-09
A10= 6.47842E-12 
第4面
K= 0.00000E+00, A4=-5.37307E-05, A6=-3.50264E-07, A8= 4.30784E-09
A10= 7.70405E-11 
第9面
K= 5.68103E-01, A4=-7.51511E-05, A6=-5.41161E-07, A8= 3.34753E-09
A10=-6.19723E-11 
第17面
K= 0.00000E+00, A4=-1.72215E-04, A6= 1.53568E-07, A8= 9.49050E-09
A10= 0.00000E+00 
第18面
K= 0.00000E+00, A4=-6.20940E-05, A6=-5.72056E-08, A8= 8.02586E-10
A10= 2.36175E-10 
第21面
K= 0.00000E+00, A4=-6.11523E-05, A6=-4.20470E-07, A8= 2.31432E-08
A10=-4.21001E-10 
【０１３４】
表  ９（各種データ）
ズーム比     3.99981
広角      中間      望遠
焦点距離       5.9746   11.9355   23.8973
Ｆナンバー     1.44511   1.73607   2.38255
画角        37.1393   20.9384   10.2399
像高         3.8500    4.2700    4.2700
レンズ全長     59.7620   57.9708   64.0145
ＢＦ        3.53184   3.53184   3.53184
d2           0.5000    5.6600    8.6440 
d8          18.7352    7.2189    0.1500 
d18          4.2680    7.5375   17.8758 
d20          1.0000    2.2743    2.1005 
入射瞳位置     19.0108   31.1601   39.2857
射出瞳位置    -12.1300  -17.6898  -45.3633
前側主点位置   22.7062   36.3895   51.4999
後側主点位置   53.7874   46.0353   40.1173
ズームレンズ群データ
群   始面    焦点距離  レンズ構成長    前側主点位置  後側主点位置
1      1    39.72048     4.46400        -1.08401       0.73199
2      3    -9.20383     9.49600         1.86240       4.16423
3      9    15.09317    13.16600         4.49190       4.36433
4     19    28.66758     1.58300        -0.36182       0.44012
5     21  -100.21016     3.01800        10.15960      10.67325
【０１３５】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１３６】
表  １０（面データ）
面番号         r           d           nd         vd
物面             ∞
1        292.30500     1.97700     1.55000    72.0 
2       -114.12300        可変
3*        75.35700     0.75000     1.88202    37.2 
4*        10.10600     5.63100 
5        -21.93600     0.93200     1.50634    78.4 
6         96.92800     0.53600 
7         35.92500     2.10400     2.00272    19.3 
8      -8417.87700        可変
9*        11.14300     3.16300     1.84888    42.7 
10*      -523.32300     0.15000 
11         12.92400     2.02400     1.62031    62.3 
12        309.50800     0.50000     1.75919    24.6 
13          7.47100     3.42500 
14(絞り)           ∞     1.72300
15         42.43500     1.00000     1.62908    33.1 
16         15.58200     0.79100 
17         13.39500     3.27900     1.56015    70.2 
18*       -29.64400        可変
19          8.52200     4.33200     1.48700    82.0 
20*       -12.65700        可変
21*       -13.20400     0.75000     1.88300    40.8 
22         24.89200        可変
23               ∞     0.75000     1.51680    64.2
24               ∞     0.59000
25               ∞        (BF)
像面             ∞
【０１３７】
表  １１（非球面データ）
第3面
K= 0.00000E+00, A4=-1.29168E-04, A6= 2.20213E-06, A8=-1.91667E-08
A10= 8.13803E-11, A12=-1.32363E-13 
第4面
K= 0.00000E+00, A4=-1.98358E-04, A6= 7.45770E-07, A8= 1.01234E-08
A10=-2.26294E-10, A12= 0.00000E+00 
第9面
K=-1.22118E-01, A4=-4.37317E-05, A6= 8.55253E-07, A8=-3.43657E-08
A10= 6.70993E-10, A12= 0.00000E+00 
第10面
K= 0.00000E+00, A4= 4.34891E-05, A6= 1.82375E-06, A8=-1.02844E-07
A10= 2.95907E-09, A12=-2.52135E-11 
第18面
K= 0.00000E+00, A4= 3.33821E-05, A6= 3.49015E-06, A8=-2.75906E-07
A10= 1.11964E-08, A12=-1.62818E-10 
第20面
K= 0.00000E+00, A4= 3.79043E-05, A6= 2.90594E-05, A8=-1.25193E-06
A10= 2.75226E-08, A12=-2.45377E-10 
第21面
K= 0.00000E+00, A4=-5.76168E-04, A6= 7.41507E-05, A8=-3.18836E-06
A10= 7.82176E-08, A12=-8.16318E-10 
【０１３８】
表  １２（各種データ）
ズーム比     3.82320
広角      中間      望遠
焦点距離       4.8889    9.5489   18.6914
Ｆナンバー     1.44277   1.87044   2.71514
画角        42.9824   24.7106   12.8096
像高         3.8700    4.2700    4.2700
レンズ全長     64.8289   63.3160   75.0956
ＢＦ        0.04692   0.10166   0.20100
d2           0.1500   10.1986   20.2336 
d8          26.5355    9.0612    0.1500 
d18          2.0000    7.6862   18.3738 
d20          0.8095    0.9813    0.8502 
d22          0.0470    0.1020    0.2010
入射瞳位置     13.2217   24.3923   37.4276
射出瞳位置    -10.5614  -14.9129  -24.7182
前側主点位置   15.8576   27.8684   42.0990
後側主点位置   59.9400   53.7671   56.4042
ズームレンズ群データ
群   始面    焦点距離  レンズ構成長    前側主点位置  後側主点位置
1      1   149.49043     1.97700         0.91892       1.61823
2      3   -13.83377     9.95300         0.02061       1.32761
3      9    16.62353    16.05500         3.79542       3.28373
4     19    11.20859     4.33200         1.25640       2.46598
5     21    -9.68131     2.38000         0.13679       0.74767
【０１３９】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１４０】
表  １３（面データ）
面番号         r           d           nd         vd
物面             ∞
1         60.00000     1.00000     1.70311    27.3 
2         22.70300     7.53000     1.88300    40.8 
3        148.65900        可変
4*        34.74600     0.75000     1.92259    28.0 
5*         9.57000     6.65300 
6        -28.28000     0.50000     1.66233    58.3 
7         28.35000     0.31300 
8         22.53300     2.83600     1.99000    19.0 
9        -90.64100     1.16900 
10        -32.27100     0.70000     1.80420    46.5 
11       -688.70700        可変
12*        10.60000     2.43600     1.84413    43.0 
13*      -347.12400     0.15000 
14          9.25900     2.08300     1.53874    73.4 
15         75.01900     0.50000     1.76207    24.4 
16          6.39100     2.30900 
17(絞り)           ∞     2.19300
18        -58.14300     0.50000     1.61462    34.8 
19         41.95600     0.15000 
20*        16.64000     1.96600     1.52501    70.3 
21*       -20.28100        可変
22*        10.40100     2.47900     1.52501    70.3 
23*        50.11000        可変
24*        11.94100     0.50000     1.74624    25.1 
25          8.99500     1.66700 
26               ∞     0.75000     1.51680    64.2
27               ∞     0.59000
28               ∞        (BF)
像面             ∞
【０１４１】
表  １４（非球面データ）
第4面
K= 0.00000E+00, A4=-1.35874E-04, A6= 2.55577E-06, A8=-2.09644E-08
A10= 8.32379E-11, A12=-1.32363E-13 
第5面
K= 0.00000E+00, A4=-1.57590E-04, A6= 1.17090E-06, A8= 1.61202E-08
A10=-1.52295E-10, A12= 0.00000E+00 
第12面
K=-1.19745E-01, A4=-4.32812E-05, A6= 7.89412E-07, A8=-4.87930E-08
A10= 9.27803E-10, A12= 0.00000E+00 
第13面
K= 0.00000E+00, A4= 4.53718E-05, A6= 1.43143E-06, A8=-1.04168E-07
A10= 2.98879E-09, A12=-2.52135E-11 
第20面
K= 0.00000E+00, A4=-4.10538E-05, A6=-3.19420E-06, A8= 2.68410E-07
A10=-1.36043E-08, A12= 1.62818E-10 
第21面
K= 0.00000E+00, A4= 3.79250E-05, A6=-1.89506E-06, A8= 1.22386E-07
A10=-5.59579E-09, A12= 0.00000E+00 
第22面
K= 0.00000E+00, A4=-5.38440E-05, A6= 1.99109E-06, A8= 1.38066E-07
A10=-9.75255E-09, A12= 2.45377E-10 
第23面
K= 0.00000E+00, A4=-2.29446E-04, A6= 2.34629E-05, A8=-1.00334E-06
A10= 1.91791E-08, A12= 0.00000E+00 
第24面
K= 0.00000E+00, A4=-4.71348E-04, A6= 5.02491E-05, A8=-2.88959E-06
A10= 7.37692E-08, A12=-8.16318E-10 
【０１４２】
表  １５（各種データ）
ズーム比     6.65044
広角      中間      望遠
焦点距離       4.8700   12.5562   32.3875
Ｆナンバー     1.44201   1.90939   3.09670
画角        43.0713   19.0302    7.4415
像高         3.8700    4.2700    4.2704
レンズ全長     70.5609   72.3045   84.9643
ＢＦ        0.03575   0.03575   0.03575
d3           0.1500   13.9195   21.9197 
d11         26.6031    8.8706    0.1500 
d21          2.0978    6.7981   21.4865 
d23          1.9502    2.9353    1.6711 
入射瞳位置     20.4955   49.4629   74.9818
射出瞳位置    -12.5330  -19.1097  -59.8478
前側主点位置   23.4785   53.7935   89.8462
後側主点位置   65.6909   59.7483   52.5768
ズームレンズ群データ
群   始面    焦点距離  レンズ構成長    前側主点位置  後側主点位置
1      1    70.65186     8.53000        -1.58808       2.50975
2      4   -10.78943    12.92100         1.93889       5.14834
3     12    15.07862    12.28700         1.38171       1.93441
4     22    24.47440     2.47900        -0.41683       0.47081
5     24   -52.67778     2.91700         1.25133       1.69815
【０１４３】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１４４】
表  １６（面データ）
面番号         r           d           nd         vd
物面             ∞
1         28.27200     4.12100     1.48749    70.4 
2       -305.02600        可変
3*      -196.12700     0.75000     1.69384    53.1 
4*         9.20800     5.06400 
5        -31.68100     0.50000     1.48749    70.4 
6         24.08100     0.66000 
7         17.54600     1.82700     2.00272    19.3 
8         29.81400        可変
9*        10.22600     2.19000     1.83617    41.9 
10*       158.52400     0.15000 
11         22.49100     1.08000     1.48700    82.0 
12         22.47100     0.50000     1.82625    22.3 
13          9.60400     3.92500 
14(絞り)           ∞     0.41900
15         16.18400     1.00000     1.99000    19.0 
16         10.07900     0.75000 
17         12.21900     2.24300     1.74220    51.8 
18        -24.34900        可変
19         26.94300     0.75000     1.83090    22.2 
20         12.79000        可変
21         11.83700     2.56900     1.88394    40.3 
22       -138.04900        可変
23*        17.84600     0.75000     1.54410    56.1 
24          8.86200        可変
25               ∞        (BF)
像面             ∞
【０１４５】
表  １７（非球面データ）
第3面
K= 0.00000E+00, A4=-2.51063E-05, A6= 4.36027E-07, A8=-3.11771E-09
A10= 8.83361E-12 
第4面
K= 0.00000E+00, A4=-7.15353E-05, A6=-1.32497E-06, A8= 3.05650E-08
A10=-4.09548E-10 
第9面
K=-1.94860E-02, A4=-3.56499E-05, A6= 6.62551E-07, A8=-2.66424E-08
A10= 1.04770E-09 
第10面
K= 0.00000E+00, A4= 1.23654E-04, A6= 2.52552E-07, A8=-6.85690E-10
A10= 6.28009E-10 
第23面
K= 0.00000E+00, A4=-3.52406E-04, A6= 3.46902E-07, A8=-2.09624E-07
A10= 3.26657E-09 
【０１４６】
表  １８（各種データ）
ズーム比     3.79830
広角      中間      望遠
焦点距離       5.1206   10.0073   19.4496
Ｆナンバー     1.44208   1.73031   2.23688
画角        41.6227   23.2775   12.1457
像高         3.8600    4.2700    4.2700
レンズ全長     59.7620   57.4546   63.9915
ＢＦ        1.39805   1.40887   1.35952
d2           0.5000    6.8453   12.6442 
d8          21.0023    7.5819    0.1500 
d18          2.0000    3.2803    7.1991 
d20          1.6137    4.0000    7.6356 
d22          1.0000    2.0000    2.2551 
d24          3.0000    3.0902    3.5000 
入射瞳位置     16.3827   27.0811   40.0441
射出瞳位置    -13.6505  -22.3490  -84.3363
前側主点位置   19.7609   32.8731   55.0794
後側主点位置   54.6415   47.4473   44.5420
ズームレンズ群データ
群   始面    焦点距離  レンズ構成長    前側主点位置  後側主点位置
1      1    53.29160     4.12100         0.23596       1.57525
2      3   -10.50663     8.80100         1.13151       2.91735
3      9    14.17814    12.25700         5.42186       4.99044
4     19   -30.02574     0.75000         0.79904       1.12931
5     21    12.43355     2.56900         0.10856       1.30288
6     23   -33.33430     0.75000         0.99409       1.24365
【０１４７】
以下の表１９に、各数値実施例のズームレンズ系における各条件の対応値を示す。なお、数値実施例４及び６のズームレンズ系については、条件（７）は適用外である。
【０１４８】
表  １９（条件の対応値）
【表１】
0005919519.tif 000003
【０１４９】
以上のように、本開示における技術の例示として、実施の形態を説明した。そのために、添付図面および詳細な説明を提供した。
【０１５０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５２】
本開示は、デジタルカメラ、スマートフォン等の携帯情報端末のカメラ、監視システムにおける監視カメラ、Ｗｅｂカメラ、車載カメラ等のデジタル入力装置に適用可能である。特に本開示は、デジタルカメラ等の高画質が要求される撮影光学系に適用可能である。
【符号の説明】
【０１５３】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ａ      開口絞り
Ｓ      像面
ＣＧ    平行平板
１      ズームレンズ系
２      撮像素子
３      液晶モニタ
４      筐体
５      主鏡筒
６      移動鏡筒
７      円筒カム
８      像ぶれ補正レンズ用駆動装置
【図１】
0005919519.tif 000004
【図２】
0005919519.tif 000005
【図３】
0005919519.tif 000006
【図４】
0005919519.tif 000007
【図５】
0005919519.tif 000008
【図６】
0005919519.tif 000009
【図７】
0005919519.tif 000010
【図８】
0005919519.tif 000011
【図９】
0005919519.tif 000012
【図１０】
0005919519.tif 000013
【図１１】
0005919519.tif 000014
【図１２】
0005919519.tif 000015
【図１３】
0005919519.tif 000016
【図１４】
0005919519.tif 000017
【図１５】
0005919519.tif 000018
【図１６】
0005919519.tif 000019
【図１７】
0005919519.tif 000020
【図１８】
0005919519.tif 000021
【図１９】
0005919519.tif 000022